(57)【特許請求の範囲】
【請求項１】
チューブ（１）と、このチューブの患者側端部（１０）における取付部（２０）と、取付部の患者側端部（２４）の周囲に延在する環状の封止カフ（２１）とを具えた喉頭マスク組立体において、前記チューブ（１０）及び前記取付部（２０）を、一体の単一ピース構成部材をなすよう一緒に射出成形し、前記封止カフ（２１）全体を、薄い可撓性のプラスチック材料により、膨張した状態で横断面が円形断面の円環状となる形状に形成し、前記取付部の患者側端部は、膨張した状態で前記円環状となる前記封止カフ（２１）の円形曲面の内側上方半部である四半円弧に適合する形状に形成し、この封止カフ（２１）を前記取付部（２０）に取り付け、この取付部（２０）が前記封止カフ（２１）を支持するよう構成したことを特徴とする喉頭マスク組立体。
【請求項２】
前記封止カフ（２１）を接着剤によって前記取付部（２０）に取り付けた請求項１記載の喉頭マスク組立体。
【請求項３】
前記封止カフ（２１）を膨張ライン（４０）によって膨張可能及びしぼませることを可能し、前記膨張ライン（４０）を前記チューブ（１）の外側に沿って設けた溝（４１）を延在させた請求項１又は２記載の喉頭マスク組立体。
【請求項４】
前記チューブ（１）及び前記取付部（２０）をポリウレタンにより成形した請求項１乃至３のうちのいずれか一項に記載の喉頭マスク組立体。
【発明の詳細な説明】
【０００１】
【発明の属する技術分野】
本発明は、チューブと、このチューブの患者側端部における取付部と、取付部の患者側端部の周囲に延在する環状の封止カフとを具えた喉頭マスク組立体に関するものである。
【０００２】
【従来の技術】
麻酔薬を投与したり、またガスを患者に通気させるため喉頭マスクとして知られる気道管を使用することは一般的に行われている。この気道管は端部に膨張可能なマスク又はカフを有するチューブにより構成し、チューブを患者の口内に挿入し、チューブの一方の端部を下部咽頭に位置決めし、またマスクがこの領域における周囲の組織に対してシールをなすようにする。喉頭マスクとしては、例えば、米国特許第５，３５５，８７９号、同第５，３０５，７４３号、同第５，２９７，５４７号、同第５，２８２，４６４号、英国特許第２，２６７，０３４号、米国特許第５，２４９，５７１号、同第５，２４１，９５６号、同第５，３０３，６９７号、英国特許第２，２４９，９５９号、同第２，１１１，３９４号、ヨーロッパ特許第４４８，８７８号、米国特許第第４，９９５，３８８号、英国特許第２，２０５，４９９号、同第２，１２８，５６１号、同第２，２９８，７９７号、同第２，３３４，２１５号、同第２，３３７，０２０号、国際出願第ＰＣＴ／ＧＢ００／０３０４４号、同第ＰＣＴ／ＧＢ００／０３０４５号、英国特許第０，００２，８０５号、同第０，０２０，２７４号に記載されているものがある。喉頭マスクは通常、湾曲した押出成形チューブと、このチューブの患者側端部に結合した個別の取付部材と、この取付部材に取り付けた膨張可能なカフとにより構成するのが一般的である。
【０００３】
【発明が解決しようとする課題】
この咽頭マスクは、咽頭マスクのチューブよりも長くて声帯の下方の気管をシールする気管内チューブよりも幾つかの利点がある。しかし、この咽頭マスクを形成するには多数の構成部材及び組み立て作業が必要なので、コストがかさむきらいがある。
【０００４】
従って、本発明の目的は、従来に代わる構造簡単かつ安価な咽頭マスクを得るにある。
【０００５】
【課題を解決するための手段】
この目的を達成するため、本発明は、チューブと、このチューブの患者側端部における取付部と、取付部の患者側端部の周囲に延在する環状の封止カフとを具えた喉頭マスク組立体において、チューブ及び取付部を一体の単一ピース構成部材をなすよう一緒に射出成形し、前記封止カフ全体を、薄い可撓性のプラスチック材料により、膨張した状態で横断面が円形断面の円環状となる形状に形成し、前記取付部の患者側端部は、膨張した状態で前記円環状となる封止カフの円形曲面の内側上方半部である四半円弧に適合する形状に形成し、この封止カフを前記取付部に取り付け、この取付部が前記封止カフを支持するよう構成したことを特徴とする。
【０００６】
封止カフは取付部に接着剤で取付けることができる。封止カフは膨張ラインによって膨張又はしぼませることができるようにし、膨張ラインはチューブの外側に沿って形成した溝に延在させると好適である。チューブ及び取付部はポリウレタンで成形する。
【０００７】
【発明の実施の形態】
次に図面につき本発明の好適な実施の形態を説明する。
【０００８】
喉頭マスク組立体は、チューブ１と、このチューブの患者側端部１０におけるマスク形状部２とを有する。
【０００９】
チューブ１を屈曲可能なプラスチック材料、例えば、ＰＶＣで形成し、長さに沿って湾曲した形状にする。孔１１を患者側端部１０から後方の装置側端部１２にいたるまで延在させる。
【００１０】
マスク形状部２は、取付部２０及び膨張可能な封止カフ２１とを有する。取付部２０は比較的硬いプラスチック材料で構成し、ほぼ靴のような形状とする。取付部２０及びチューブ１は、例えば、射出成形によってともに成形し、一体の単独ピース２２を形成するようにする。取付部２０は装置側端部２３から患者側端部２４に向かって外方にテーパを付け、装置側端部の軸線に対して約２５゜の角度をなすよう傾斜させて取付部の患者側端部を楕円形状となるようにし、前方端部２５を後方端部２６よりもより先細の形状となるようにする。取付部２０の患者側端部２４をチューブ１の湾曲した内側側面に向かって対面するよう傾斜させる。取付部２０の内部には、長さに沿う縦断面が装置側端部から増大していくキャビティ２７を設ける。
【００１１】
カフ２１は管状とし、薄い可撓性のプラスチック材料により形成する。このカフ２１は取付部２０の患者側端部２４と同一形状の環状をなすようにし、前方端部３０が後方端部３１よりも先細の楕円形状とする。カフ２１は取付部２０の患者側端部２４と同一形状の中心領域３２を包囲する。カフ２１を取付部２０の患者側端部の周りに例えば、接着剤により取り付ける。カフ２１は膨張ライン４０によって膨張又はしぼませ、この膨張ライン４０はカフの内部に連通する個別の小さい孔を有する管によって設け、チューブの外側に形成した溝４１に沿って後方に延在させる。患者内に挿入した位置で膨張させると、カフ２１は膨張して咽頭下部領域の患者組織に接触する。
【００１２】
取付部とチューブとを単一の工程で形成するため、個別の構成部材及び組立体を製造するに必要な工程がより少なくて済む。取付部をチューブに結合する必要性をなくすことによって結合の欠陥の危険性がなく、また結合状態の点検する必要もなくなる。チューブと取付部との間の領域の外部輪郭を段差や隆起なく滑らかにすることができる。即ち、この領域には何ら結合部がないためである。チューブ及び取付部の一緒の成形は、壁厚又は形状を、チューブの長さに沿う異なるポイントにおいて所要に応じて変化させることができる。更に、成形によって、異なる材料、例えば、押出成形に問題のあるポリウレタンを使用することもできる。
【図面の簡単な説明】
【図１】  本発明による組立体の一部切除した側面図である。
【符号の説明】
1  チューブ
2  マスク形状部
10  患者側端部
11  孔
12  装置側端部
20  取付部
22  単独ピース
23  取付部の装置側端部
24  取付部の患者側端部
25  前方端部
26  後方端部
27  キャビティ
30  カフの前方端部
31  カフの後方端部
32  カフの中心領域
40  膨張ライン
41  溝
【図１】
0004629934.tif 000002